(57)【要約】【課題】従来の内燃機関用点火装置は、ダイオードのカソード端子は電源に接続される１次端子と圧入嵌合され２点接触で接続されているため、組立て初期には接触しているが、エポキシ樹脂の注型・硬化の工程で熱が加わることにより接触が不安定になることがあった。本発明は、上記のような課題を解消し、接触安定性を向上させた内燃機関用点火装置を提供するものである。【解決手段】ダイオードのカソード端子を電源に接続される１次端子で挟み込み、３点接触で接続する構造とすることにより、接触安定性を向上させた内燃機関用点火装置を提供することができる。【効果】本発明は、ダイオードのカソード端子を電源に接続される１次端子で挟み込み、３点接触で接続する構造とすることにより、接触安定性を向上させた内燃機関用点火装置を提供することができる。【選択図】  図２
2011003684.tif 000002
【特許請求の範囲】
【請求項１】
１次コイルへの通電開始時に２次コイルに誘導される高電圧を点火プラグへ印加するのを阻止し、前記１次コイルへの通電終了時に２次コイルに誘導される高電圧を前記点火プラグへ印加するダイオードを備えた内燃機関用点火装置において、２次ボビンに前記ダイオードを収容する本体収容部があり、電源に接続される１次端子とダイオードのカソード端子の接触を３点接触としたことを特徴とする内燃機関用点火装置。
【発明の詳細な説明】
【技術分野】
【０００１】
本発明は、自動車のエンジンなどの内燃機関用点火プラグに高電圧を供給して火花放電を発生させるための内燃機関用点火装置に関し、特に、１次コイルへの通電開始時に２次コイルに誘導される高電圧を高圧端子を介して点火コイル印加するのを阻止し、１次コイルの通電終了時に２次コイルに誘導される高電圧を高圧端子に印加させ、過早着火を阻止するダイオードを備える内燃機関用点火装置に関するものである。
【背景技術】
【０００２】
１次コイルへの通電開始時に２次コイルに誘導される高電圧を高圧端子を介して点火プラグへ印加するのを阻止し、１次コイルへの通電終了時に２次コイルに誘導される高電圧を高圧端子へ印加させ、過早着火を防止するダイオードを備える内燃機関用点火装置が、従来から存在している。
【０００３】
従来の内燃機関用点火装置は、例えば、２次ボビンにダイオード収容部を設け、このダイオード収容部にダイオードを収容していた。ダイオードは、アノードとカソードが両端に設けられた円柱状のダイオード本体と、このダイオード本体の両端に接続され、軸方向へ延びる２本のリード端子で構成されている。
【０００４】
このダイオードは、２次コイルの低圧側に配置され、ダイオードのカソード端子は電源に接続される１次端子と２点接触で接続され、ダイオードのアノード端子は２次コイルとはんだ付けで接続されて、１次コイルへの通電開始時に２次コイルに誘導される高電圧を高圧端子を介して点火プラグへ印加するのを阻止し、１次コイルへの通電終了時に２次コイルに誘導される高電圧を高圧端子へ印加させ過早着火を防止している。
【０００５】
２次ボビンは、一側面にダイオードを収容するダイオード収容部が設けられている。この２次ボビンは、２次コイルが外周に巻回され、１次コイルが外周に巻回された１次ボビンが挿入されると共に、１次コイル及び２次コイルを貫通する状態に鉄心を配置して、コイル・鉄心組立体とされ、１次コイルへの通電を制御するパワースイッチと共に絶縁ケース内に収容され、全体をエポキシ樹脂で絶縁している。
【０００６】
そして、１次コイルへの通電をパワースイッチで制御して２次コイルに誘導される高電圧は、絶縁ケースに設けた高圧端子を介して点火プラグへ印加される。
【０００７】
この時、ダイオードのカソード端子は電源に接続される１次端子と圧入嵌合され２点接触で接続されているため、組立て初期には接触しているが、エポキシ樹脂の注型・硬化の工程で熱が加わることにより接触が不安定になることがあった。
【先行技術文献】
【特許文献】
【０００８】
【特許文献１】特開２００６−１７９６５４号公報
【発明の概要】
【発明が解決しようとする課題】
【０００９】
本発明は、上記のような課題を解消し、接触安定性を向上させた内燃機関用点火装置を提供するものである。
【課題を解決するための手段】
【００１０】
上記のような課題を解消するために、ダイオードのカソード端子を電源に接続される１次端子で挟み込み、３点接触で接続する構造とする。
【発明の効果】
【００１１】
本発明は、ダイオードのカソード端子を電源に接続される１次端子で挟み込み、３点接触で接続する構造とすることにより、接触安定性を向上させた内燃機関用点火装置を提供することができる。
【図面の簡単な説明】
【００１２】
【図１】本発明の一実施形態である内燃機関用点火装置の構成を示すブロック回路図。
【図２】本発明の一実施形態である内燃機関用点火コイルの断面図。
【図３】本発明の一実施形態である１次コイルブクミの正面図。
【図４】本発明の一実施形態である１次コイルブクミの側面図。
【図５】本発明の一実施形態である１次コイルブクミの上面図。
【図６】本発明の一実施形態である２次コイルブクミの正面図。
【図７】本発明の一実施形態である２次コイルブクミの側面図。
【図８】本発明の一実施形態であるコイルブクミの正面図。
【図９】本発明の一実施形態であるコイルブクミの側面図。
【図１０】本発明の一実施形態であるコイルブクミの上面図。
【図１１】本発明の一実施形態であるダイオードカソード端子と１次端子（ＶＢ）の３点接触接続部の上面図。
【図１２】本発明の一実施形態であるダイオードカソード端子と１次端子（ＶＢ）の３点接触接続部の側面図。
【発明を実施するための形態】
【００１３】
以下、本発明の実施形態を図に基づいて説明する。
【００１４】
図１は、この発明の一実施形態である内燃機関用点火装置の構成を示すブロック回路図、図２は、この発明の一実施形態である内燃機関用点火コイルの断面図、図３と図４及び図５は、本発明の一実施形態である１次コイルブクミの図面、図６及び図７は、本発明の一実施形態である２次コイルブクミ図面、図８と図９及び図１０は、この発明の一実施形態であるコイルブクミの図面である。これら図２〜図１０を使って、本発明の実施例を説明する。
【００１５】
図１で本点火装置は、点火コイル本体１と、電源７と、点火信号出力回路８と、点火プラグ６から構成されている。７は陰極を接地した電源で、１次コイル３に電源を供給する。８は点火信号出力回路を示し、点火信号をパワースイッチ５へ供給する。２次コイル４で発生した高電圧は点火プラグ６へ供給させる。２次コイル４の低圧側には、ダイオード２が接続されている。
【００１６】
図５は、１次コイルブクミ３２の上面図である。熱可塑性合成樹脂で成形した１次ボビン３１には１次コイル３が巻回され、１次コイル３は線径０.３〜０.５mm程度のエナメル線を一層当たり数十回ずつ、数層にわたり合計１００〜１５０回程度積層巻きされている。１次コイル３の巻き始め側を１次端子（ＶＢ）１１に接続しヒュージング溶接して、１次コイル３の巻き終り側を１次端子（コレクタ）１２に接続しヒュージング溶接して、１次コイルブクミ３２を構成している。
【００１７】
図６は、２次コイルブクミ４２の正面図である。１次ボビン３１と同様の熱可塑性合成樹脂で成形した２次ボビン４１には、２次コイル４が巻回されている。２次コイル４は線径０.０３〜０.０６mm程度のエナメル線を用いて合計１００００〜１５０００回程度分割巻きされている。２次ボビン４１にはダイオード収容部２１があり、このダイオード収容部２１にダイオード２を収容している。ダイオード２はアノードとカソードが両端に設けられた円柱状のダイオード本体２２と、このダイオード本体２２の両端に接続され、軸方向へ延びるカソード端子２３とアノード端子２４で構成されている。
【００１８】
図１０は、１次コイルブクミ３２と２次コイルブクミ４２を組み付けたコイルブクミ４３の上面図である。ダイオード２は、２次コイル４の低圧側に配置され、ダイオード２のカソード端子２３は電源７に接続される１次端子（ＶＢ）１１で挟み込み、３点接触で接続する構造としている。ダイオード２のアノード端子２４は２次コイル４とはんだ付けで接続されている。
【００１９】
図１１と図１２は、ダイオード２のカソード端子２３が１次端子（ＶＢ）１１で挟み込まれ、３点接触で接続されている部分の拡大図である。
【００２０】
図２は、この発明の一実施形態である内燃機関用点火コイルの断面図である。１次コイル３への通電開始時に２次コイル４に誘導される高電圧を高圧端子１３を介して点火プラグ６へ印加するのを阻止し、１次コイル３への通電終了時に２次コイル４に誘導される高電圧を高圧端子１３へ印加させ過早着火を防止している。２次コイルブクミ４２は１次コイルブクミ３２が挿入されると共に、１次コイルブクミ３２及び２次コイルブクミ４２を貫通するように珪素鋼板をプレス積層した鉄心１０を配置して、コイル・鉄心組立体とされ、１次コイル３への通電を制御するパワースイッチ５などと共に、１次ボビン３１と同様の熱可塑性合成樹脂で成形されたケース９内に収容され、全体をエポキシ樹脂１４で絶縁している。この時、ダイオード２のカソード端子２３は電源７に接続される１次端子（ＶＢ）１１で挟み込み、３点接触で接続する構造としているため、接触安定性を向上させた内燃機関用点火装置を提供することができる。
【符号の説明】
【００２１】
１  点火コイル本体
２  ダイオード
３  １次コイル
４  ２次コイル
５  パワースイッチ
６  点火プラグ
７  電源
８  点火信号出力回路
９  ケース
１０  鉄心
１１  １次端子（ＶＢ）
１２  １次端子（コレクタ）
１３  高圧端子
１４  エポキシ樹脂
２１  ダイオード収容部
２２  ダイオード本体
２３  カソード端子
２４  アノード端子
３１  １次ボビン
３２  １次コイルブクミ
４１  ２次ボビン
４２  ２次コイルブクミ
４３  コイルブクミ
【図１】
2011003684.tif 000003
【図２】
2011003684.tif 000004
【図３】
2011003684.tif 000005
【図４】
2011003684.tif 000006
【図５】
2011003684.tif 000007
【図６】
2011003684.tif 000008
【図７】
2011003684.tif 000009
【図８】
2011003684.tif 000010
【図９】
2011003684.tif 000011
【図１０】
2011003684.tif 000012
【図１１】
2011003684.tif 000013
【図１２】
2011003684.tif 000014